(57)【要約】【課題】電気掃除機を複数の収納形態で安定して収納することができる電気掃除機の収納スタンドを提供すること。【解決手段】電動送風機を内蔵する駆動装置および前記駆動装置に着脱可能に装着されるダストカップユニットを有する掃除機本体と、前記掃除機本体に着脱可能に接続される吸込口体とを備えた電気掃除機を、起立状態で支持可能な収納スタンドであって、  前記駆動装置の一部と係脱可能に係合する係合部と、前記電気掃除機の収納場所に設置されて前記係合部を上下方向に移動可能に支持する支持部とを備え、  前記支持部は、被支持体である前記電気掃除機または前記掃除機本体のみまたは前記駆動装置のみを、直接または前記係合部を介して受けることにより前記係合部を上下方向に移動させる移動機構部を有することを特徴とする電気掃除機の収納スタンド。【選択図】図３
2018143444.tif 000002
【特許請求の範囲】
【請求項１】
電動送風機を内蔵する駆動装置および前記駆動装置に着脱可能に装着されるダストカップユニットを有する掃除機本体と、前記掃除機本体に着脱可能に接続される吸込口体とを備えた電気掃除機を、起立状態で支持可能な収納スタンドであって、
前記駆動装置の一部と係脱可能に係合する係合部と、前記電気掃除機の収納場所に設置されて前記係合部を上下方向に移動可能に支持する支持部とを備え、
前記支持部は、被支持体である前記電気掃除機または前記掃除機本体のみまたは前記駆動装置のみを、直接または前記係合部を介して受けることにより前記係合部を上下方向に移動させる移動機構部を有することを特徴とする電気掃除機の収納スタンド。
【請求項２】
前記支持部は、前記被支持体の収納場所の床面上に載置される台部と、前記台部の後端部に連設された支柱部と、前記移動機構部とを具備し、
前記移動機構部は、前記支柱部に沿って上下方向にスライド可能に設けられたスライド部と、前記支柱部に対して前記スライド部を上方へ付勢する付勢部材とを有し、
前記係合部が、前記スライド部の上端部に設けられている請求項１に記載の収納スタンド。
【請求項３】
前記支持部は、前記被支持体の収納場所の床面上に載置される台部と、前記台部の後端部に連設された支柱部と、前記移動機構部とを具備し、
前記台部は、上方開口部を有する台本体と、前記台本体の前記上方開口部に設けられた受け板とを有し、
前記移動機構部は、前記支柱部に沿って上下方向にスライド可能に設けられたスライド部と、前記受け板上に前記被支持体が載置されると前記スライド部を上方または下方へ移動させる機構とを有し、
前記係合部が、前記スライド部の上端部に設けられている請求項１に記載の収納スタンド。
【請求項４】
前記支持部は、前記被支持体の収納場所の壁面に固定されるガイドプレートと、前記移動機構部とを具備し、
前記移動機構部は、前記ガイドプレートに沿って上下方向にスライド可能に設けられたスライド部と、前記ガイドプレートに対して前記スライド部を上方へ付勢する付勢部材とを有し、
前記係合部が、前記スライド部の上端部に設けられている請求項１に記載の収納スタンド。
【請求項５】
前記駆動装置が、バッテリーを有しかつ前記バッテリーと電気的に接続された電極端子部を前記一部に有し、
前記係合部が、前記駆動装置の前記電極端子部と電気的に接続可能な充電端子部を有する請求項１〜４のいずれか１つに記載の収納スタンド。
【請求項６】
前記支持部の前面に誘導スロープが設けられ、
前記被支持体の下端部が前記誘導スロープに摺接して所定位置に誘導されるように構成された請求項１〜５のいずれか１つに記載の収納スタンド。
【発明の詳細な説明】
【技術分野】
【０００１】
本発明は、電気掃除機の収納スタンドに関する。
【背景技術】
【０００２】
持ち上げられて使用される掃除機本体を有する従来の縦型電気掃除機（アップライト型、スティック型等の電気掃除機）およびその充電台として、次のように構成されたものが特許文献１に開示されている。
【０００３】
前記従来の電気掃除機は、蓄電池および電動送風機を内蔵する駆動装置と、駆動装置に着脱可能に装着されるダストカップユニットと、駆動装置に伸縮可能に設けられたハンドルとを有する掃除機本体を備え、駆動装置の前端部に設けられた吸気口に吸込口体を接続し、ハンドルを持って掃除機本体を持ち上げ、吸込口体を床面上で前後移動させながら清掃するように構成されている。
【０００４】
駆動装置は、吸気口を有するパイプケース部と、パイプケース部の後部に設けられたモータケース部と、モータケース部の下部に設けられた蓄電池ケース部とを有している。
駆動装置にダストカップユニットが装着された状態において、蓄電池ケース部の前方角部がダストカップユニットよりも下方へ突き出ており、この角部に下方へ開口する凹部が設けられると共に、凹部内に充電用の電極端子部が設けられている。
【０００５】
また、この電気掃除機の充電台は、ベース部と、ベース部の後端部に設けられたＬ形のスタンド部とを有し、スタンド部の上端部に凸部が設けられると共に、凸部に充電用の充電端子部が設けられている。さらに、ベース部内には端子部と電気的に接続された充電基板が設けられると共に、充電基板と電気的に接続された電源コードがスタンド部の後面から外部へ延びるように設けられている。
【０００６】
電気掃除機の充電台へのセットは、駆動装置の蓄電池ケース部の凹部を充電台のスタンド部の凸部に嵌め込むようにして吸込口体をベース部上に載置することにより行われる。これにより、電気掃除機は起立状態で収納されると共に、凹部の電極端子部と凸部の充電端子部とが電気的に接続して蓄電池が充電される。
【先行技術文献】
【特許文献】
【０００７】
【特許文献１】特開２０１６−１３７１６５号公報
【発明の概要】
【発明が解決しようとする課題】
【０００８】
特許文献１の電気掃除機の場合、例えば、ユーザーが清掃後に吸込口体をメンテナンスするために電気掃除機から吸込口体を取り外し、掃除機本体のみを充電台にセットすると、掃除機本体の先端部が充電台のベース部に接地しないため、掃除機本体がぐらつきやすく不安定な宙吊り状態となる。この宙吊り状態は、掃除機本体が充電台から脱落して破損する、掃除機本体および充電台が転倒して破損する、掃除機本体および充電台の端子部が破損する等のトラブルを生じさせるおそれがある。
さらに、メンテナンスのために電気掃除機から吸込口体と共にダストカップユニットを取り外し、駆動装置のみを充電台にセットした場合は、充電台上の駆動装置がよりぐらつきやすく脱落しやすい状態となる。
【０００９】
本発明は、このような課題に鑑みなされたものであり、電気掃除機を複数の収納形態で安定して収納することができる電気掃除機の収納スタンドを提供することを目的とする。
【課題を解決するための手段】
【００１０】
かくして、本発明によれば、電動送風機を内蔵する駆動装置および前記駆動装置に着脱可能に装着されるダストカップユニットを有する掃除機本体と、前記掃除機本体に着脱可能に接続される吸込口体とを備えた電気掃除機を、起立状態で支持可能な収納スタンドであって、
前記駆動装置の一部と係脱可能に係合する係合部と、前記電気掃除機の収納場所に設置されて前記係合部を上下方向に移動可能に支持する支持部とを備え、
前記支持部は、被支持体である前記電気掃除機または前記掃除機本体のみまたは前記駆動装置のみを、直接または前記係合部を介して受けることにより前記係合部を上下方向に移動させる移動機構部を有する電気掃除機の収納スタンドが提供される。
【発明の効果】
【００１１】
本発明の電気掃除機の収納スタンドによれば、被支持体である駆動装置にダストカップユニットおよび吸込口体が装着された電気掃除機、電気掃除機から吸込口体を取り外した掃除機本体のみ、または電気掃除機から吸込口体およびダストカップユニットを取り外した駆動装置のみを、収納スタンドに収納する際、支持部における被支持体の下端部を受ける部分と係合部までの上下方向の距離が移動機構によって被支持体の長さに応じて自動的に調整される。したがって、被支持体の長さが変わってもその下端部は支持部上に接地することができるため、被支持体は宙吊り状態で支持されることがなく安定的に収納される。
【図面の簡単な説明】
【００１２】
【図１】本発明の電気掃除機の収納スタンドの実施形態１を示す斜視図である。
【図２】実施形態１の収納スタンドに収納される電気掃除機を示す左側面図である。
【図３】実施形態１の収納スタンドに電気掃除機を収納した状態を示す左側面図である。
【図４】掃除機本体のみを実施形態１の収納スタンドに収納する説明図であって（Ａ）は収納直前の状態であり、（Ｂ）は収納後の状態である。
【図５】駆動装置のみを実施形態２の収納スタンドに収納する説明図であって（Ａ）は第１の収納経過状態であり、（Ｂ）は第２の収納経過状態であり、（Ｃ）は収納後の状態である。
【図６】実施形態３の収納スタンドの内部構造を示す左側断面図である。
【図７】電気掃除機を実施形態３の収納スタンドに収納する説明図であって（Ａ）は収納経過状態であり、（Ｂ）は収納後の状態である。
【図８】（Ａ）は掃除機本体のみを実施形態３の収納スタンドに収納した状態の説明図、（Ｂ）は駆動装置のみを実施形態３の収納スタンドに収納した状態の説明図である。
【図９】実施形態４の収納スタンドを示す斜視図である。
【図１０】（Ａ）は電気掃除機を実施形態４の収納スタンドに収納した状態の説明図、（Ｂ）は掃除機本体のみを収納した状態の説明図、（Ｂ）は駆動装置のみを収納した状態の説明図である。
【発明を実施するための形態】
【００１３】
（実施形態１）
図１は本発明の電気掃除機の収納スタンドの実施形態１を示す斜視図であり、図２は実施形態１の収納スタンドに収納される電気掃除機を示す左側面図であり、図３は実施形態１の収納スタンドに電気掃除機を収納した状態を示す左側面図である。
本発明の電気掃除機の収納スタンド１０は、アップライト型またはスティック型といった縦型の電気掃除機１を起立状態で収納するものである。
【００１４】
＜電気掃除機＞
まず、図２で例示された電気掃除機１の構成を説明すると、この電気掃除機１は、電動送風機を内蔵する駆動装置２および駆動装置２に着脱可能に装着されるダストカップユニット３を有する掃除機本体４と、掃除機本体４に着脱可能に接続される吸込口体５とを備える。また、駆動装置２には伸縮可能なハンドル６が設けられると共に、ハンドル６には電動送風機の駆動と停止を切り替える図示しない電源スイッチが設けられている。
【００１５】
駆動装置２は、吸込口体５の接続パイプ部５ａが接続される吸気口２ａ1を有する下端部２ａと、吸気口２ａ1と連通する通風路を内部に有する下端部２ａに連設された通風部２ｂと、ハンドル６の基端側のパイプ部６ａが挿入される挿入孔を有する通風部２ｂに連設された上端部２ｃと、図示しない電動送風機、バッテリー、回路基板等を内蔵する上端部２ｃの後方に突出するように連設された膨出部２ｄとを有する。そして、膨出部２ｄの角部に下方開口状の凹部２ｄ1が設けられると共に、凹部２ｄ1内に充電用のピン形端子部２ｄ2が設けられている。
【００１６】
サイクロン方式のダストカップユニット３は、ダストカップ３ａと、ダストカップ３ａの開口部に着脱可能に装着されたフィルタ部３ｂとを有し、駆動装置２の膨出部２ｄの下端面に設けられた吸気窓部２ｄ３にフィルタ部３ｂが接続されるように通風部２ｂに沿って装着される。なお、ダストカップ３ａの外周面には、駆動装置２の通風部２ｂの図示しない排出口と接続する図示しない導入口が設けられている。
図２に示すように、起立状態の電気掃除機において、駆動装置２の前記凹部２ｄ1は、ダストカップユニット３のフィルタ部３ｂの横位置で外部下方に向かって露出している。
【００１７】
この電気掃除機１による床面Ｆ上の清掃を行う際は、電源スイッチをＯＮにして電動送風機を駆動させ、ハンドル６を持って吸込口体５を前後方向に移動させることにより、床面Ｆ上のゴミや塵埃が吸込口体５の底面に設けられた吸込口から駆動装置２の通風路２ｂを通ってダストカップユニット３のダストカップ３ａ内に集められ、ゴミや塵埃が除去された空気がフィルタ部３ｂから駆動装置２の膨出部２ｄに設けられた図示しない排気口から外部に排気される。なお、吸込口体５内にモータ駆動により回転する回転ブラシが備えられている場合は、電源スイッチのＯＮにより回転ブラシが回転して床面Ｆ上のゴミや塵埃を吸込口に掻き込む。
【００１８】
＜収納スタンド＞
図３は実施形態１の収納スタンドに電気掃除機を収納した状態を示す左側面図である。また、図４は掃除機本体のみを実施形態１の収納スタンドに収納する説明図であって（Ａ）は収納直前の状態であり、（Ｂ）は収納後の状態である。
【００１９】
図１および３に示すように、実施形態１の収納スタンド１０は、電気掃除機１の駆動装置２の一部である凹部２ｄ1と係脱可能に係合する係合部１１と、電気掃除機１の収納場所に設置されて係合部１１を上下方向に移動可能に支持する支持部１２とを備える。
また、支持部１２は、電気掃除機１または掃除機本体４のみまたは駆動装置２のみを、係合部１１を介して受けることにより係合部１１を上下方向に移動させる移動機構部１２ｃを有している。
【００２０】
さらに詳しく説明すると、支持部１２は、電気掃除機１の収納場所の床面Ｆ上に載置される左右方向に長い台部１２ａと、台部１２ａの後端部に連設されたＬ形の支柱部１２ｂと、前記移動機構部１２ｃとを具備する。
移動機構部１２ｃは、支柱部１２ｂに沿って上下方向にスライド可能に設けられたスライド部１２ｃ1と、支柱部１２ｂに対してスライド部１２ｃ1を上方へ付勢する付勢部材１２ｃ2とを有する。
【００２１】
移動機構部１２ｃにおいて、スライド部１２ｃ1は、支持部１２ｂの上下方向に延びる上端部１２ｂ1側が挿入される下方開口部を有する筒形に形成されており、スライド部１２ｃ1の上端部に凸形の係合部１１が設けられている。この係合部１１には、上方へ開口する一対の孔部が設けられており、これら孔部の内部に充電端子部１１ａが設けられている。
【００２２】
実施形態１の場合、付勢部材１２ｃ2として圧縮バネが用いられており、付勢部材１２ｃ2はスライド部１２ｃ1の内部における支柱部１２ｂの上端部１２ｂ1とスライド部１２ｃ1の上端部１２ｃ11との間に設けられている。
この移動機構部１２ｃにおける自由状態でのスライド部１２ｃ1の上端部１２ｃ11の台部１２ａからの高さＨ1は、台部１２ａ上に起立状態で載せた電気掃除機１の凹部２ｄ1の開口部の高さよりも少し（例えば、１０ｍｍ前後）高く設定されている。
【００２３】
また、台部１２ａの内部には、充電用の回路基板１２ａ1が設けられると共に、図示しないおもりが設けられている。さらに、支柱部１２ｂの後面側には、回路基板１２ａ1と電気的に接続された電源ケーブル１３が設けられると共に、一対の充電端子部１１ａと回路基板とを電気的に接続する図示しない導電ケーブルが支柱部１２ｂおよびスライド部１２ｃ1内に設けられている。
【００２４】
このように構成された収納スタンド１０に電気掃除機１を収納する際は、電気掃除機１の駆動装置２の凹部２ｄ1を収納スタンド１０の移動機構部１２ｃの係合部１１に嵌め込む。これにより、電気掃除機１の凹部２ｄ1内のピン形端子部２ｄ2と収納スタンド１０の係合部１１の充電端子部１１ａとが電気的に接続する。なお、この状態では、吸込口体５が台部１２ａ上に完全に載っていない。
【００２５】
次に、吸込口体５が台部１２ａ上に完全に接地するよう、電気掃除機１の全重量を移動機構部１２ｃに移していく。すると、付勢部材１２ｃ2の付勢力に抗して駆動装置２の膨出部２ｄの下端面が移動機後部１２ｃのスライド部１２ｃ1の上端面を押し下げ、それにより電気掃除機１が下降し、吸込口体５が台部１２ａ上に完全に接地した状態となり、電気掃除機１の起立状態での収納が完了する。
なお、予め電源ケーブル１３を商用電源に接続しておくことにより、電気掃除機１の収納スタンド１０での収納時にバッテリーを充電することができる。
【００２６】
図４は掃除機本体のみを実施形態１の収納スタンドに収納する説明図であって（Ａ）は収納直前の状態であり、（Ｂ）は収納後の状態である。
電気掃除機１での清掃後、使用者が電気掃除機１から吸込口体５を取り外してメンテナンスするために、掃除機本体４のみを収納スタンド１０に収納する場合が想定される。
この場合も、掃除機本体４の駆動装置２の凹部２ｄ1を収納スタンド１０の移動機構部１２ｃの係合部１１に嵌め込むが、この状態では掃除機本体４の下端部２ａが台部１２ａ上から浮いた宙吊り状態となっている。
【００２７】
次に、掃除機本体４の下端部２ａが台部１２ａ上に接地するよう、掃除機本体４の全重量を移動機構部１２ｃに移していく。すると、図４（Ｂ）に示すように、掃除機本体４の重量によって移動機後部１２ｃのスライド部１２ｃ1が下降し、それにより掃除機本体４が下降して下端部２ａが台部１２ａ上に接地した状態となり、掃除機本体４の起立状態での収納が完了する。なお、このときの台部１２ａからスライド部１２ｃ1の上端部までの高さをＨ2とすると、移動機構部１２のスライド部１２ｃ1の上端部１２ｃ11の下限位置はＨ2よりも低く設定される。
【００２８】
（実施形態２）
図５は駆動装置のみを実施形態２の収納スタンドに収納する説明図であって（Ａ）は第１の収納経過状態であり、（Ｂ）は第２の収納経過状態であり、（Ｃ）は収納後の状態である。なお、図５において、図１〜４中の要素と同様の要素には同一の符号を付している。
実施形態２の電気掃除機の収納スタンド１００は、支持部１１２の支持部１２ｂの下部前面に誘導スロープ１１２ｄが設けられたこと以外は、実施形態１の収納スタンド１０と同様である。
以下、実施形態２における実施形態１とは異なる点を主に説明する。
【００２９】
実施形態１では、掃除機本体４に吸込口体５が接続してなる電気掃除機１を収納スタンド１０に収納する場合と、掃除機本体４のみを収納スタンド１０に収納する場合を例示した。
図５（Ａ）〜（Ｃ）に示すように、吸込口体５とダストカップユニット３の両方を駆動装置２から取り外してメンテナンスする間に駆動装置２のみを収納スタンド１００に収納する、というような収納形態を使用者がとることも考えられる。そこで、実施形態２ではこのような収納形態にも対応できるよう、前方へ向かって下方へ傾斜する前記誘導スロープ１１２ｄを設けている。
【００３０】
実施形態２の収納スタンド１１０に駆動装置２のみを収納する場合、図５（Ａ）に示すように、駆動装置２の凹部２ｄ1を収納スタンド１１０の係合部１１に嵌め込んだ後、使用者が駆動装置２から手を離す。すると、ダストカップユニット３の支えがないために駆動装置２はその下端部２ａが収納スタンド１１０の支持部１２ｂ側へ接近して傾いた宙吊り状態となる。
【００３１】
そして、図５（Ｂ）に示すように、駆動装置２は宙吊り状態のまま自重により下降し、下端部２ａが誘導スロープ１１２ｄ上を摺接する。すると、図５（Ｃ）に示すように、下端部２ａは下降しながら前方へ移動して台部１２ａ上の所定位置である後部に着地する。
このように、実施形態２の収納スタンド１１０によれば、駆動装置２のみでも真っ直ぐに起立した状態で収納することができる。
【００３２】
（実施形態３）
図６は実施形態３の収納スタンドの内部構造を示す左側断面図である。また、図７は電気掃除機を実施形態３の収納スタンドに収納する説明図であって（Ａ）は収納経過状態であり、（Ｂ）は収納後の状態である。また、図８（Ａ）は掃除機本体のみを実施形態３の収納スタンドに収納した状態の説明図、（Ｂ）は駆動装置のみを実施形態３の収納スタンドに収納した状態の説明図である。なお、図６〜８において、図１〜４中の要素と同様の要素には同一の符号を付している。
【００３３】
実施形態３の収納スタンド２１０は、電気掃除機１の駆動装置２の一部である凹部２ｄ1と係脱可能に係合する係合部１１と、電気掃除機１の収納場所に設置されて係合部１１を上下方向に移動可能に支持する支持部２１２とを備え、この支持部２１２が実施形態１とは大きく異なる。
以下、実施形態３における実施形態１とは異なる点を主に説明する。
【００３４】
実施形態３の場合、図６に示すように、支持部２１２は、電気掃除機１または掃除機本体４のみまたは駆動装置２のみを、直接受けることにより係合部１１を上下方向に移動させる移動機構部２１２ｃを有している。
さらに詳しく説明すると、支持部２１２は、電気掃除機１の収納場所の床面Ｆ上に載置される台部２１２ａと、台部２１２ａの後端部に連設された角筒形の支柱部２１２ｂと、前記移動機構部２１２ｃと、支持部２１２ｂの下部前面に設けられた誘導スロープ２１２ｄとを具備する。
【００３５】
台部２１２ａは、上方開口部を有する箱形の台本体２１２ａ1と、台本体２１２ａ1の上方開口部に上下動可能に設けられた受け板２１２ａ2とを有する。
受け板２１２ａ2は、水平を保った状態のまま上下動することができるよう台本体２１２ａ1の上方開口部付近の内周面をガイド面として摺動するよう設けられている。
【００３６】
移動機構部２１２ｃは、支柱部２１２ｂの外周面に沿って上下方向にスライド可能に設けられた下方開口部を有する角筒形のスライド部２１２ｃ1と、受け板２１２ａ2の下方または上方への移動をスライド部２１２ｃ1の上方または下方への移動に変換するリンク機構２１２ｃ3とを有する。
【００３７】
係合部１１は、実施形態１と同様に一対の充電端子部（図示省略）を有しており、スライド部２１２ｃ1の上端部２１２ｃ11の上面に設けられている。
また、図示省略するが、実施形態３の収納スタンド２１０も、台部２１２ａの内部に充電用の回路基板が設けられ、支柱部２１２ｂの後面側には回路基板と電気的に接続された電源ケーブルが設けられ、一対の充電端子と回路基板とを電気的に接続する導電ケーブルが支柱２１２ｂおよびスライド部２１２ｃ1内に設けられている。
【００３８】
リンク機構２１２ｃ3は、台本体２１２ａ1内の左右壁面に固定された水平軸部２１２ｃ31と、水平軸部２１２ｃ31に揺動可能に取り付けられた揺動アーム部２１２ｃ32と、揺動アーム部２１２ｃ32の後端部に第１枢着軸部２１２ｃ33を介して連結された昇降アーム部２１２ｃ34と、支持部２１２ｂ内に収納された昇降アーム部２１２ｃ34の上端部をスライド部２１２ｃ1の上端部２１２ｃ11の下面に枢着する第２枢着軸部２１２ｃ35とを有する。
【００３９】
また、台部２１２ａの内部において、受け台２１２ａ2の下面にはリンク機構２１２ｃ3の揺動アーム部２１２ｃ32の前端部２１２ｃ321に当接する当接片２１２ａ21が設けられると共に、台本体２１２ａ1の底面には当接片２１２ａ21にて押し下げられた揺動アーム部２１２ｃ32の前端部２１２ｃ321に当接して前端部２１２ｃ321の下降を規制するストッパ凸部２１２ａ11が設けられている。
【００４０】
このように構成されたリンク機構２１２ｃ3によれば、２点差線で示すように受け台２１２ａ2を押し下げると、当接片２１２ａ21にて揺動アーム部２１２ｃ32の前端部２１２ｃ321がストッパへ凸部２１２ａ11まで押し下げられる。この間、揺動アーム部２１２ｃ32は水平軸部２１２ｃ31を中心に２点差線で示すように揺動して後端部２１２ｃ322が上昇し、それによって昇降アーム２１２ｃ34が押し上げられると共に、２点差線で示すようにスライド部２１２ｃ1および係合部１１が上昇する。
【００４１】
この際、リンク機構２１２ｃ3は、受け台２１２ａ2の下降距離に対して係合部１１の上昇距離を増幅するよう構成されており、実施形態３の場合、最大で約３倍に増幅するよう構成されている。なお、リンク機構２１２ｃ3による上昇距離の増幅は、この収納スタンド２１０に収納される電気掃除機１の構成に対応して設定すればよい。
【００４２】
このように構成された収納スタンド２１０に電気掃除機１を収納する際は、図７（Ａ）に示すように、電気掃除機１の吸込口体５を台部２１２ａの受け板２１２ａ2上に載せる。この際、吸込口体５の後端部が誘導スロープ２１２ｄ上に載せられると、吸込口体５の後端部は誘導スロープ２１２ｄを前方の受け板２１２ａ2上まで滑って移動するため、吸込口体５の全体が完全に受け板２１２ａ2上に載ることとなる。
【００４３】
電気掃除機１の吸込口体５が受け板２１２ａ2上に載ると、図７（Ｂ）に示すように、電気掃除機１の重量により受け板２１２ａ2が下降していくと共に、図６での説明の如くリンク機構２１２ｃ3が作動してスライド部２１２ｃ1および係合部１１が上昇していき、上昇する係合部１１と下降する電気掃除機１の凹部２ｄ1とが係合する。この際、使用者が電気掃除機１のハンドル６を持ち、凹部２ｄ1が係合部１１にスムーズに係合するよう電気掃除機１の位置を微調整してもよい。
これにより、収納スタンド２１０への電気掃除機１の起立状態での収納が完了する。なお、電気掃除機１を収納している間にバッテリーへの充電も行われる。
【００４４】
収納スタンド２１０から電気掃除機１を持ち上げると、係合部１１、スライド部２１２ｃ1およびリンク機構２１２ｃ3の昇降アーム部２１２ｃ34等の自重によって係合部１１およびスライド部２１２ｃ1が下降し、リンク機構２１２ｃ3は係合部１１およびスライド部２１２ｃ1の下降動作を受け板２１２ａ2の上昇動作に変換し、収納スタンド２１０が未収能の状態に戻る。この状態ではスライド部２１２ｃ1が低くなるので、その分収納スタンド２１０がコンパクトになる。
【００４５】
このとき、図６に示すように、受け板２１２ａ2の上面からスライド部２１２ｃ1の上端部２１２ｃ11の上面までの高さＨ3は、電気掃除機１の駆動装置２の下端部２ａの下端面から膨出部２ｄの下端面までの高さＨ4（図２参照）よりも低く設定されている。なお、これについて詳しくは後述する。
【００４６】
実施形態３の収納スタンド２１０は、図８（Ａ）に示すように、電気掃除機１から吸込口体５を取り外した掃除機本体４のみを収納することができる。この場合、掃除機本体４の駆動装置２の下端部２ａを受け板２１２ａ2上に載せる。
このとき、受け板２１２ａ2の上面からスライド部２１２ｃ1の上端部２１２ｃ11の上面までの高さＨ3（図６）が、駆動装置２の下端部２ａの下端面から膨出部２ｄの下端面までの高さＨ4（図２）よりも低く設定されているため、受け板２１２ａ2が下降する前の時点では、駆動装置２の凹部２ｄ1が、収納スタンド２１０の係合部１１よりも高い位置にある。
【００４７】
そして、掃除機本体４の重量により受け板２１２ａ2が下降していくと、スライド部２１２ｃ1および係合部１１が上昇していき、上昇する係合部１１と下降する掃除機本体４の凹部２ｄ1とが係合し、収納スタンド２１０への掃除機本体４の起立状態での収納が完了する（図８（Ａ）参照）。この間、使用者は掃除機本体４が倒れないようハンドル６を持ち、凹部２ｄ1が係合部１１にうまく係合するよう掃除機本体４の位置を微調整することが好ましい。
【００４８】
また、実施形態３の収納スタンド２１０は、図８（Ｂ）に示すように、電気掃除機１から吸込口体５およびダストカップユニット３を取り外した駆動装置２のみを収納することができる。この場合も、使用者はハンドル６を持って駆動装置２の下端部２ａを受け板２１２ａ2上に載せる。そして、駆動装置２の重量により受け板２１２ａ2が下降していくと、スライド部２１２ｃ1および係合部１１が上昇していき、上昇する係合部１１と下降する掃除機本体４の凹部２ｄ1とが係合し、収納スタンド２１０への駆動装置２の起立状態での収納が完了する。
【００４９】
（実施形態４）
図９は実施形態４の収納スタンドを示す斜視図である。また、図１０（Ａ）は電気掃除機を実施形態４の収納スタンドに収納した状態の説明図、（Ｂ）は掃除機本体のみを収納した状態の説明図、（Ｂ）は駆動装置のみを収納した状態の説明図である。なお、図９および１０において、図１〜４中の要素と同様の要素には同一の符号を付している。
【００５０】
実施形態４の収納スタンド３１０は、電気掃除機１の駆動装置２の一部である凹部２ｄ1と係脱可能に係合する係合部１１と、電気掃除機１の収納場所に設置されて係合部１１を上下方向に移動可能に支持する支持部３１２とを備え、この支持部３１２が実施形態１〜３とは大きく異なる。
以下、実施形態３における実施形態１〜３とは異なる点を主に説明する。
【００５１】
実施形態１〜３の収納スタンドが床面設置タイプであるのに対し、実施形態４の収納スタンド３１０は壁掛けタイプである。
実施形態４において、支持部３１２は、電気掃除機１または掃除機本体４のみまたは駆動装置２のみを、係合部１１を介して受けることにより係合部１１を上下方向に移動させる移動機構部３１２ｃを有する。
【００５２】
さらに詳しく説明すると、支持部３１２は、電気掃除機１の収納場所の壁面Ｗに木ネジＮにて固定される上下方向に長いガイドプレート３１２ａと、前記移動機構部３１２ｃと、誘導スロープ３１２ｄとを備える。
【００５３】
移動機構部３１２ｃは、ガイドプレート３１２ａに沿って上下方向にスライド可能に設けられたスライド部３１２ｃ1と、ガイドプレート３１２ａに対してスライド部３１２ｃ1を上方へ付勢する付勢部材３１２ｃ2とを有する。
【００５４】
ガイドプレート３１２ａの前面において、上下方向に延びる横断面Ｌ形のＬ形溝３１２ａ1が左右位置に形成されると共に、中央位置の上下複数箇所に木ネジＮを挿通させる孔部が形成されている。
さらに、ガイドプレート３１２ａの前面の上下中間位置には、前方へ突出する四角形の突出片３１２ａ2が括れ部３１２ａ21を介して連設されている。
【００５５】
スライド部３１２ｃ1は、突出片３１２ａ2を挿入させる下方開口部を有する角筒形に形成されており、その後面には括れ部３１２ａ21を挿通させるスリット３１２ｃ11が設けられている。
さらに、スライド部３１２ｃ1の後面におけるスリット３１２ｃ11の左右両側には、ガイドプレート３１２ａの左右一対のＬ形溝３１２ａ1内にスライド可能に挿入される上下方向に延びた左右一対のＬ形突条部３１２ｃ12が設けられている。
【００５６】
付勢部材３１２ｃ2としては、圧縮バネが用いられており、スライド部３１２ｃ1の内部における突出片３１２ａ2とスライド部３１２ｃ1の上端部３１２ｃ13の下面との間に設けられている。
誘導スロープ３１２ｄは、ガイドプレート３１２ａの前面下端部に設けられており、その内部には充電用の回路基板が設けられており、回路基板に電源ケーブル１３が電気的に接続されている。
【００５７】
係合部１１は、スライド部３１２ｃ1の上端部３１２ｃ13の上面に設けられており、実施形態１と同様に一対の充電端子部１１ａを有しており、図示しない導電ケーブルにて回路基板と電気的に接続されている。
【００５８】
このように構成された実施形態４の収納スタンド３１０によれば、図１０（Ａ）〜（Ｃ）に示すように、被収納体である電気掃除機１、掃除機本体４のみまたは駆動装置２のみを収納し、かつバッテリーを充電することができる。
図１０（Ａ）の場合、電気掃除機１の凹部２ｄ1を収納スタンド３１０の係合部１１に係合した状態で、電気掃除機１の吸込口体５を床面Ｆ上に降ろす。
図１０（Ｂ）の場合、掃除機本体４の凹部２ｄ1を収納スタンド３１０の係合部１１に係合した状態で、掃除機本体４の下端部２ａを床面Ｆ上に降ろす。
図１０（Ｃ）の場合、駆動装置２の凹部２ｄ1を収納スタンド３１０の係合部１１に係合した状態で、駆動装置２の下端部２ａを床面Ｆ上に降ろす。
【００５９】
図１０（Ｃ）の場合、駆動装置２の下端部２ａが床面Ｆ上に着地する前に使用者がハンドル６を離すと、駆動装置２は下端部２ａが壁Ｗ側に接近した傾いた状態となるが（図５（Ａ）参照）、誘導プレート３１２ｄが下端部２ａを前方へ誘導するため（図５（Ｂ）参照）、駆動装置２が真っ直ぐに起立した状態となるように下端部２ａを床面Ｆ上に着地させることができる。
【００６０】
これら図１０（Ａ）〜（Ｃ）の収納形態では、被収納体の自重により付勢部材３１２ｃ2の付勢力に抗してスライド部３１２ｃ1と共に係合部１１が下降し、被収納体を持ち上げれば付勢部材３１２ｃ2の付勢力によりスライド部３１２ｃ1と共に係合部１１が元の位置まで上昇する。
【００６１】
なお、実施形態４では、伸縮可能なハンドル６が掃除機本体４に設けられ、掃除機本体４に直接吸込口体５を接続するアップライトタイプの電気掃除機１を収納スタンド３１０に収納する場合を例示したが、掃除機本体に延長パイプを介して吸込口体を接続するスティックタイプの電気掃除機でもこの収納スタンド３１０に収納することができる。
この場合は、収納状態における電気掃除機の吸込口体が床面上に着地するように、図１０（Ａ）〜（Ｃ）で示した位置よりも高い位置で壁Ｗに収納スタンド３１０を固定する。なお、この場合、図１０（Ｂ）のような掃除機本体のみ、あるいは図１０（Ｃ）のような駆動装置のみの収納形態とすると不安定な宙吊り状態となるため、このような収納形態は推奨できない。
【００６２】
（他の実施形態）
１．実施形態１〜４では、駆動装置内にバッテリーが内蔵された電気掃除機を収納スタンドに収納する場合を例示したが、駆動装置にカートリッジ式のバッテリーが着脱可能に装着される電気掃除機でも本発明の収納スタンドは収納可能である。この場合、駆動装置の凹部から電極端子部が省略されると共に、収納スタンドの凸形係合部から充電端子部が省略される。
【００６３】
２．実施形態１〜４において、駆動装置の凹部を凸部に変更し、かつ収納スタンドの凸形係合部を凹形係合部に変更してもよい。
【００６４】
３．実施形態３において、被支持体の収納時にスライド部を上昇させる機構としてのリンク機構の代わりに、油圧等によって受け板が下がるとスライド部が上昇する機構を用いてもよく、あるいは台本体に上下動可能に設けられるまたは固定される受け板に被収納体が載るとセンサがそれを検知してボールネジ、リニアモータ等の機構を駆動させスライド部を上昇させるように構成してもよい。
【００６５】
（まとめ）
本発明の電気掃除機の充電台は、電動送風機を内蔵する駆動装置および前記駆動装置に着脱可能に装着されるダストカップユニットを有する掃除機本体と、前記掃除機本体に着脱可能に接続される吸込口体とを備えた電気掃除機を、起立状態で支持可能な収納スタンドであって、
前記駆動装置の一部と係脱可能に係合する係合部と、前記電気掃除機の収納場所に設置されて前記係合部を上下方向に移動可能に支持する支持部とを備え、
前記支持部は、被支持体である前記電気掃除機または前記掃除機本体のみまたは前記駆動装置のみを、直接または前記係合部を介して受けることにより前記係合部を上下方向に移動させる移動機構部を有する。
【００６６】
本発明の電気掃除機の充電台は、次のように構成されてもよく、それらが適宜組み合わされてもよい。
（１）前記支持部は、前記被支持体の収納場所の床面上に載置される台部と、前記台部の後端部に連設された支柱部と、前記移動機構部とを具備し、
前記移動機構部は、前記支柱部に沿って上下方向にスライド可能に設けられたスライド部と、前記支柱部に対して前記スライド部を上方へ付勢する付勢部材とを有し、
前記係合部が、前記スライド部の上端部に設けられてもよい。
この構成によれば、使用者が被支持体の一部を収納スタンドの係合部に係合させ、この状態で使用者が被支持体を離すと、被支持体の全重量が係合部にかかる。すると、移動機構部が係合部を下降させ、下降した被支持体の下端部が支持部上に接地する。したがって、被支持体の長さが変わってもその下端部は支持部上に接地することができるため、被支持体は宙吊り状態で支持されることがなく安定的に収納される。
【００６７】
（２）前記支持部は、前記被支持体の収納場所の床面上に載置される台部と、前記台部の後端部に連設された支柱部と、前記移動機構部とを具備し、
前記台部は、上方開口部を有する台本体と、前記台本体の前記上方開口部に設けられた受け板とを有し、
前記移動機構部は、前記支柱部に沿って上下方向にスライド可能に設けられたスライド部と、前記受け板上に前記被支持体が載置されると前記スライド部を上方または下方へ移動させる機構とを有し、
前記係合部が、前記スライド部の上端部に設けられてもよい。
この構成によれば、使用者が被支持体を収納スタンドの支持部上に載置すると、被支持体の全重量が支持部に直接かかる。すると、移動機構部が係合部を上昇させ、上昇した係合部が被支持体の一部と係合する。したがって、被支持体の長さが変わってもその下端部は支持部上に接地することができるため、被支持体は宙吊り状態で支持されることがなく安定的に収納される。
【００６８】
（３）前記支持部は、前記被支持体の収納場所の壁面に固定されるガイドプレートと、前記移動機構部とを具備し、
前記移動機構部は、前記ガイドプレートに沿って上下方向にスライド可能に設けられたスライド部と、前記ガイドプレートに対して前記スライド部を上方へ付勢する付勢部材とを有し、
前記係合部が、前記スライド部の上端部に設けられてもよい。
この構成によれば、使用者が被支持体の一部を収納スタンドの係合部に係合させ、この状態で使用者が被支持体を離すと、被支持体の全重量が係合部にかかる。すると、移動機構部が係合部を下降させ、下降した被支持体の下端部が床面上に接地する。したがって、被支持体の長さが変わってもその下端部は床面上に接地することができるため、被支持体は宙吊り状態で支持されることがなく安定的に収納される。
【００６９】
（４）前記駆動装置が、バッテリーを有しかつ前記バッテリーと電気的に接続された電極端子部を前記一部に有し、
前記係合部が、前記駆動装置の前記電極端子部と電気的に接続可能な充電端子部を有してもよい。
この構成によれば、被支持体の収納時にバッテリーを充電することができる。
【００７０】
（５）前記支持部の前面に誘導スロープが設けられ、
前記電気掃除機または前記掃除機本体または前記駆動装置の下端部が前記誘導スロープに摺接して所定位置に誘導されるように構成されてもよい。
被支持体（電気掃除機または掃除機本体または駆動装置）を収納スタンドへ収納する際、被支持体がバランスを欠いて傾いた状態となる場合があるため、前記構成における誘導スロープによって被支持体の下端部を台部上の所定位置に誘導することにより、被支持体を真っ直ぐに起立させた状態で収納することができる。
【００７１】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００７２】
１  電気掃除機
２  駆動装置
２ｄ2  ピン形端子部（電極端子部）
３  ダストカップユニット
４  掃除機本体
５  吸込口体
１０、１１０、２１０、３１０  収納スタンド
１１  係合部
１１ａ  充電端子部
１２、２１２、３１２  支持部
１２ａ、２１２ａ  台部
１２ｂ、２１２ｂ  支柱部
１２ｃ、２１２ｃ、３１２ｃ  移動機構部
１２ｃ1、２１２ｃ1、３１２ｃ1  スライド部
１２ｃ2、３１２ｃ2  付勢部材
１２ｃ11、２１２ｃ11、３１２ｃ13  上端部
１１２ｄ、２１２ｄ、３１２ｄ  誘導スロープ
２１２ａ1  台本体
２１２ａ2  受け板
２１２ｃ3  リンク機構
３１２ａ  ガイドプレート
Ｆ  床面
Ｗ  壁面
【図１】
2018143444.tif 000003
【図２】
2018143444.tif 000004
【図３】
2018143444.tif 000005
【図４】
2018143444.tif 000006
【図５】
2018143444.tif 000007
【図６】
2018143444.tif 000008
【図７】
2018143444.tif 000009
【図８】
2018143444.tif 000010
【図９】
2018143444.tif 000011
【図１０】
2018143444.tif 000012